(57)【特許請求の範囲】
【請求項１】
情報配信装置から伝送路を介して所定の第１の伝送速度で配信される情報を受信するのに必要な伝送品質の存否を前記伝送路につき判断した結果を品質情報として出力する判断部と、
入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力し、前記照会情報に対して入力された、切り替えるべき旨の指示情報を、前記情報配信装置に対して出力する制御部と
を備え、
前記判断部は、前記第１の伝送速度と、該第１の伝送速度で配信される情報を受信するのに必要な伝送品質との関係を予め定めた第１のテーブル情報を参照することにより比較基準となる伝送品質を決定し、測定した伝送品質とこの比較基準となる伝送品質とを比較することにより前記第１の伝送速度で配信される情報を受信するのに必要な伝送品質の存否を判断することを特徴とする情報再生端末。
【請求項２】
情報配信装置から伝送路を介して所定の第１の伝送速度で配信される情報を受信するのに必要な伝送品質の存否を前記伝送路につき判断した結果を品質情報として出力する判断部と、
入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力し、前記照会情報に対して入力された、切り替えるべき旨の指示情報を、前記情報配信装置に対して出力する制御部と
を備え、
前記制御部は、伝送品質と前記第２の伝送速度との関係を予め定めた第２のテーブル情報を参照することにより、測定した伝送品質に対応する前記第２の伝送速度を決定することを特徴とする情報再生端末。
【請求項３】
情報配信装置から伝送路を介して所定の第１の伝送速度で配信される情報を受信するのに必要な伝送品質の存否を前記伝送路につき判断した結果を品質情報として出力する判断部と、
入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力し、前記照会情報に対して入力された、切り替えるべき旨の指示情報を、前記情報配信装置に対して出力する制御部と
を備え、
上記判断部は、前記伝送品質の存否を判断する際、伝送品質を所定の周期でサンプリングし、２以上のサンプリング結果の平均値をとることを特徴とする情報再生端末。
【請求項４】
前記制御部は、伝送品質と前記第２の伝送速度との関係を予め定めた第２のテーブル情報を参照することにより、測定した伝送品質に対応する前記第２の伝送速度を決定することを特徴とする請求項１に記載の情報再生端末。
【請求項５】
上記判断部は、前記伝送品質の存否を判断する際、伝送品質を所定の周期でサンプリングし、２以上のサンプリング結果の平均値をとることを特徴とする請求項１、２、４のいずれか１項に記載の情報再生端末。
【請求項６】
前記照会情報は、前記第２の伝送速度の情報を含むことを特徴とする請求項１〜５のいずれかに記載の情報再生端末。
【請求項７】
前記伝送品質は、接続速度であることを特徴とする請求項１〜６のいずれか１項に記載の情報再生端末。
【請求項８】
前記伝送品質は、スループットであることを特徴とする請求項１〜６のいずれか１項に記載の情報再生端末。
【請求項９】
前記伝送路は、無線ＬＡＮであることを特徴とする請求項１〜８のいずれか１項に記載の情報再生端末。
【請求項１０】
情報配信装置から伝送路を介して所定の第１の伝送速度で配信される情報を受信するのに必要な伝送品質の存否を前記伝送路につき判断した結果を品質情報として出力し、
入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力し、
前記照会情報に対して入力された、切り替えるべき旨の指示情報を、前記情報配信装置に対して出力し、
前記第１の伝送速度と、該第１の伝送速度で配信される情報を受信するのに必要な伝送品質との関係を予め定めた第１のテーブル情報を参照することにより比較基準となる伝送品質を決定し、測定した伝送品質とこの比較基準となる伝送品質とを比較することにより前記第１の伝送速度で配信される情報を受信するのに必要な伝送品質の存否を判断する
ことを特徴とする情報再生方法。
【請求項１１】
情報配信装置から伝送路を介して所定の第１の伝送速度で配信される情報を受信するのに必要な伝送品質の存否を前記伝送路につき判断した結果を品質情報として出力し、
入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力し、
前記照会情報に対して入力された、切り替えるべき旨の指示情報を、前記情報配信装置に対して出力し、
伝送品質と前記第２の伝送速度との関係を予め定めた第２のテーブル情報を参照することにより、測定した伝送品質に対応する前記第２の伝送速度を決定する
ことを特徴とする情報再生方法。
【請求項１２】
情報配信装置から伝送路を介して所定の第１の伝送速度で配信される情報を受信するのに必要な伝送品質の存否を前記伝送路につき判断した結果を品質情報として出力し、
入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力し、
前記照会情報に対して入力された、切り替えるべき旨の指示情報を、前記情報配信装置に対して出力し、
前記伝送品質の存否を判断する際、伝送品質を所定の周期でサンプリングし、２以上のサンプリング結果の平均値をとる
ことを特徴とする情報再生方法。
【請求項１３】
情報配信装置から伝送路を介して所定の第１の伝送速度で配信される情報を受信するのに必要な伝送品質の存否を前記伝送路につき判断した結果を品質情報として出力し、前記第１の伝送速度と、該第１の伝送速度で配信される情報を受信するのに必要な伝送品質との関係を予め定めた第１のテーブル情報を参照することにより比較基準となる伝送品質を決定し、測定した伝送品質とこの比較基準となる伝送品質とを比較することにより前記第１の伝送速度で配信される情報を受信するのに必要な伝送品質の存否を判断する機能と、
入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力する機能と、
前記照会情報に対して入力された、切り替えるべき旨の指示情報を、前記情報配信装置に対して出力する機能と、
を、情報再生端末のコンピュータに実行させるためのプログラム。
【請求項１４】
情報配信装置から伝送路を介して所定の第１の伝送速度で配信される情報を受信するのに必要な伝送品質の存否を前記伝送路につき判断した結果を品質情報として出力する機能と、
入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力し、伝送品質と前記第２の伝送速度との関係を予め定めた第２のテーブル情報を参照することにより、測定した伝送品質に対応する前記第２の伝送速度を決定する機能と、
前記照会情報に対して入力された、切り替えるべき旨の指示情報を、前記情報配信装置に対して出力する機能と、
を、情報再生端末のコンピュータに実行させるためのプログラム。
【請求項１５】
情報配信装置から伝送路を介して所定の第１の伝送速度で配信される情報を受信するのに必要な伝送品質の存否を前記伝送路につき判断した結果を品質情報として出力し、前記伝送品質の存否を判断する際、伝送品質を所定の周期でサンプリングし、２以上のサンプリング結果の平均値をとる機能と、
入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力する機能と、
前記照会情報に対して入力された、切り替えるべき旨の指示情報を、前記情報配信装置に対して出力する機能と、
を、情報再生端末のコンピュータに実行させるためのプログラム。
【発明の詳細な説明】
【技術分野】
【０００１】
本発明は、情報再生端末、情報再生方法、およびプログラムに関する。
【背景技術】
【０００２】
所定の情報（例えば、映像データ）を、伝送路を介して情報配信装置から受信し、リアルタイムに再生する情報再生端末が知られている。伝送路が無線ＬＡＮ（Ｌｏｃａｌ  Ａｒｅａ  Ｎｅｔｗｏｒｋ）等の無線通信である場合、情報再生端末は移動可能となるため、ユーザは、自分の好きな場所で映像データを視聴することができる。ここで、情報再生端末が、例えば、アクセスポイントの近くなど通信環境が良い位置に存在している場合は、設定したビットレートの映像を途切れることなく視聴することができる。しかしながら、情報再生端末が、通信環境が悪い位置に存在する場合、再生した映像が途切れがちとなり設定したビットレートでの映像視聴が困難となる場合がある。
【０００３】
そこで、特許文献１は、配信装置と受信装置間の伝送路の品質を監視し、伝送路の品質が悪化した場合に、自動的にビットレートを切り替える技術について記載する。また、特許文献２は、無線ＬＡＮの通信環境が変化した場合、有効なＭＰＥＧ２の解像度およびビットレートに再設定することについて記載する。
【先行技術文献】
【特許文献】
【０００４】
【特許文献１】再公表ＷＯ２００８／１０８３７９号
【特許文献２】特開２００７−３２９８１４号
【発明の概要】
【発明が解決しようとする課題】
【０００５】
特許文献１や特許文献２の技術により、ユーザは、通信環境の変化によらず映像データを開始から終了まで途切れることなく視聴することができる。
【０００６】
ここで、通信環境は、ユーザの努力により改善する場合がある。例えば、通信環境は、情報再生端末の位置をアクセスポイントや情報配信装置へ接近させ、あるいは、無線ＬＡＮのチャネルを変更することにより改善する。もしも、通信環境を改善させることができれば、ユーザは、わざわざ低いビットレートの映像（例えば、解像度の低い映像）を見る必要はなくなる。
【０００７】
しかしながら、特許文献１や特許文献２の技術の場合、映像の途切れを抑止することを最優先としているため、通信環境が悪化した場合には自動的に（換言すれば問答無用に）、低ビットレートでの再生が実行されてしまう。
【０００８】
これは、低ビットレートの映像であれば視聴したくないと思っているユーザにとっては、やや不親切なサービスであると言える。
【０００９】
本発明は、上記課題を解決するためになされたものであり、利便性に優れる情報再生端末、情報再生方法、およびプログラムを提供することにある。
【課題を解決するための手段】
【００１０】
本発明の情報再生端末は、情報配信装置から伝送路を介して所定の第１の伝送速度で配信される情報を受信するのに必要な伝送品質の存否を前記伝送路につき判断した結果を品質情報として出力する判断部と、入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力し、前記照会情報に対して入力された、切り替えるべき旨の指示情報を、前記情報配信装置に対して出力する制御部と、を備える。
【００１１】
本発明の情報再生方法は、情報配信装置から伝送路を介して所定の第１の伝送速度で配信される情報を受信するのに必要な伝送品質の存否を前記伝送路につき判断した結果を品質情報として出力し、入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力し、前記照会情報に対して入力された、切り替えるべき旨の指示情報を、前記情報配信装置に対して出力する。
【００１２】
本発明のプログラムは、情報配信装置から伝送路を介して所定の第１の伝送速度で配信される情報を受信するのに必要な伝送品質の存否を前記伝送路につき判断した結果を品質情報として出力する機能と、入力された前記品質情報が前記必要な伝送品質の不充足を示す場合、前記伝送品質の改善が必要である旨の報知情報および前記第１の伝送速度から伝送に支障のないと判断される第２の伝送速度への切り替えの要否を照会する照会情報を出力する機能と、前記照会情報に対して入力された、切り替えるべき旨の指示情報を、前記情報配信装置に対して出力する機能と、を情報再生端末のコンピュータに実行させるためのプログラムである。
【発明の効果】
【００１３】
本発明によれば、利便性（ユーザの使い勝手）を向上させることができる。
【図面の簡単な説明】
【００１４】
【図１】本発明の第１の実施形態に係る情報配信システムの構成例を示すブロック図である。
【図２】図１に示す情報配信システムの動作例を示すフローチャートである。
【図３】映像データのビットレート毎の、映像が途切れることの無い接続速度を予め規定したテーブル情報の一例としてのデータマップ図である。
【図４】測定した品質（例えば、接続速度平均値）と、この映像データを途切れることなく再生することが可能なビットレートとの関係を予め定めたテーブル情報の一例としてのデータマップ図である。
【図５】接続速度の平均値が比較基準の接続速度よりも低い場合に、情報処理装置の画面に表示されるメッセージの一例を示す。
【図６】本発明の第２の実施形態に係る情報再生端末の構成例を示すブロック図である。
【発明を実施するための形態】
【００１５】
［第１の実施形態］
図１は、本発明の第１の実施形態に係る情報配信システムの構成例を示すブロック図である。この情報配信システムは、映像配信装置１０（情報配信装置）と、情報処理装置２０（情報再生端末）と、を備える。映像配信装置１０と情報処理装置２０とは、無線ＬＡＮ（伝送路）を介して接続される。
【００１６】
映像配信装置１０は、中央処理部１１と、映像圧縮部１２と、無線ＬＡＮ処理部１３と、を備える。中央処理部１１は、映像配信装置１０全体を制御する。中央処理部１１は、主に、無線ＬＡＮ処理部１３を介して情報処理装置２０から通知される、映像データのビットレート（伝送速度）設定情報を、映像圧縮部１２に設定する。映像圧縮部１２は、設定されたビットレートで映像データを圧縮し、無線ＬＡＮ処理部１３へ出力する。無線ＬＡＮ処理部１３は、情報処理装置２０との間で無線ＬＡＮ通信を行う。
【００１７】
情報処理装置２０は、中央処理部２１と、無線ＬＡＮ処理部２２と、映像伸張部２３と、表示制御部２４と、無線ＬＡＮ監視部２５と、を備える。
【００１８】
中央処理部２１は、情報処理装置２０全体を制御する。中央処理部２１は、主に、映像配信装置１０に設定する映像データのビットレート設定情報を、無線ＬＡＮ処理部２２および映像伸張部２３へ通知する。
【００１９】
無線ＬＡＮ処理部２２は、映像配信装置１０との間で無線ＬＡＮ通信を行う。映像伸張部２３は、映像配信装置１０から受信した圧縮された映像データを伸張し、表示制御部２４へ出力する。表示制御部２４は、伸張した映像データおよびユーザに対する各種メッセージ情報を画面に表示する。
【００２０】
無線ＬＡＮ監視部２５は、無線ＬＡＮの品質（例えば、接続速度やスループット）を測定する。無線ＬＡＮ監視部２５は、測定した品質が、第１のビットレート（変更前のビットレート／第１の伝送速度）にて配信されている情報（例えば、映像データ）の再生が途切れる可能性がある品質であるか否かを判定する。無線ＬＡＮ監視部２５は、途切れる可能性がある品質である場合、情報を途切れることなく再生することが可能な第２のビットレート（変更後のビットレート／第２の伝送速度）を算出する。無線ＬＡＮ監視部２５は、無線ＬＡＮの品質をユーザが自主的に改善するか、あるいは情報の再生を第２のビットレートにて行うかを選択させるための表示を行う。無線ＬＡＮ監視部２５は、第２のビットレートにて再生を行うとの選択がなされた場合に第２のビットレートの情報を出力する。
【００２１】
図２は、図１に示す情報配信システムの動作例を示すフローチャートである。
【００２２】
映像配信装置１０の無線ＬＡＮ処理部１３と情報処理装置２０の無線ＬＡＮ処理部２２とが接続処理を実行することにより、映像配信装置１０と情報処理装置２０とが無線ＬＡＮ接続する（ステップＡ１）。
【００２３】
情報処理装置２０の中央処理部２１は、映像配信装置１０に設定する映像データのビットレートの設定値を、情報処理装置２０内部の各ユニット（無線ＬＡＮ処理部２２、映像伸張部２３、無線ＬＡＮ監視部２５）へ通知する。無線ＬＡＮ処理部２２は、該ビットレートの設定値を、映像配信装置１０側に通知する（ステップＡ２）。
【００２４】
映像配信装置１０の無線ＬＡＮ処理部１３は、情報処理装置２０から受信したビットレートの設定値を、中央処理部１１へ通知する（ステップＡ３）。中央処理部１１は、映像データのビットレートを、映像圧縮部１２へ設定する（ステップＡ４）。映像圧縮部１２は、設定されたビットレートで映像データを圧縮し、無線ＬＡＮ処理部１３に送信する（ステップＡ５）。無線ＬＡＮ処理部１３は、映像データを、無線ＬＡＮにより情報処理装置２０へ配信する（ステップＡ６）。
【００２５】
情報処理装置２０の無線ＬＡＮ処理部２２は、映像データを受信する（ステップＡ７）。無線ＬＡＮ処理部２２は、受信した映像データを、映像伸張部２３へ送信する。映像伸張部２３は、映像データを伸張する（ステップＡ８）。表示制御部２４は、伸張した映像データを、画面に表示する（ステップＡ９）。
【００２６】
情報処理装置２０において、以上説明したステップＡ１〜Ａ９までの処理が実行されている間、無線ＬＡＮ監視部２５は、以下のステップＡ１０〜Ａ１７までの処理を実行する。
【００２７】
まず、無線ＬＡＮ監視部２５は、中央処理部２１から、映像データのビットレートの設定値を受信する（ステップＡ２）。無線ＬＡＮ監視部２５は、設定したビットレートにて映像が途切れることのない無線ＬＡＮの品質（以下、一例として、“接続速度”を挙げる）を比較基準として設定する（ステップＡ１０）。ここで、接続速度とは、例えば、無線ＬＡＮ処理部２２の物理層レベルでの伝送速度である。
【００２８】
ここで、比較基準を設定する具体方法を説明する。図３は、映像データのビットレート毎の、映像が途切れることの無い接続速度を予め規定したテーブル情報（第１のテーブル情報）の一例としてのデータマップ図である。このテーブル情報は、図１において不図示の記憶部に記憶されているものとする。また、図３において示した数値はあくまで一例であって、本実施形態は、これらに限定されることはない。
【００２９】
無線ＬＡＮ監視部２５は、中央処理部２１から受信したビットレートをキーに該テーブル情報をサーチし、対応する接続速度を比較基準とする。例えば、現在のビットレートが２０Ｍｂｐｓ（ｂｉｔｓ  ｐｅｒ  ｓｅｃｏｎｄ）の場合、比較基準となる接続速度は、６０Ｍｂｐｓとなる。
【００３０】
無線ＬＡＮ監視部２５は、一定期間内に等間隔で無線ＬＡＮの接続速度をサンプリング（ステップＡ１１）する。無線ＬＡＮ監視部２５は、一定期間経過後に接続速度の平均値を算出する（ステップＡ１２）。このようにすることにより、ノイズ等の突発的な事象を無視してより正確な無線ＬＡＮの品質を測定することができる。
【００３１】
無線ＬＡＮ監視部２５は、算出した接続速度の平均値とステップＡ１０で設定した比較基準の接続速度とを比較し、接続速度の平均値が比較基準の接続速度を超えているか否かを判定する（ステップＡ１３）。接続速度の平均値が比較基準の接続速度を超えている場合（ステップＡ１３においてＹＥＳの場合）、無線ＬＡＮ監視部２５は、ステップＡ１１およびＡ１２の処理を再び実行する。
【００３２】
一方、接続速度の平均値が比較基準の接続速度よりも低い場合（ステップＡ１３においてＮＯの場合）、無線ＬＡＮ監視部２５は、以下の処理を実行する。
【００３３】
まず、無線ＬＡＮ監視部２５は、変化した接続速度でも映像が途切れることのない映像データのビットレート設定情報を算出する（ステップＡ１４）。
【００３４】
ここで、上記ビットレートを算出する具体的方法を説明する。図４は、測定した品質（例えば、接続速度平均値）と、この映像データを途切れることなく再生することが可能なビットレート（第２のビットレート）との関係を予め定めたテーブル情報（第２のテーブル）の一例としてのデータマップ図である。
【００３５】
無線ＬＡＮ監視部２５は、測定した品質（例えば、接続速度平均値）をキーにこのテーブル情報をサーチし、対応するビットレートを決定する。例えば、接続速度平均値が１００Ｍｂｐｓ以上の場合、この映像データを途切れることなく再生することが可能なビットレートは、３０Ｍｂｐｓとなる。
【００３６】
次いで、無線ＬＡＮ監視部２５は、表示制御部２４を介して、画面に以下のようなメッセージを表示する（ステップＡ１５）。図５は、接続速度の平均値が比較基準の接続速度よりも低い場合に、情報処理装置２０の画面に表示されるメッセージの一例である。このメッセージは、接続速度が低下し映像が途切れる可能性があるため、接続速度を改善する、または映像データのビットレートを切り換えることをユーザに問うためのメッセージである。さらに、該メッセージには、映像を途切れることなく視聴することが可能なビットレート（すなわち、ステップＡ１４で求めたビットレート）が含まれている。
【００３７】
そして、ユーザが自力での品質改善を希望する場合（ステップＡ１６の場合）、無線ＬＡＮ監視部２５は、ステップＡ１０の処理を再び実行する。この場合、ユーザは、情報処理装置２０の位置を、例えばアクセスポイントや情報配信装置へ接近させ、あるいは、無線ＬＡＮのチャネルを変更することにより、無線ＬＡＮの通信品質を改善させる。ここで、上記処置により、無線ＬＡＮの通信品質の改善に成功すれば、ユーザは、わざわざ低いビットレートの映像（例えば、解像度の低い映像）を見る必要はない。もちろん、この場合、映像データが途切れることはない。
【００３８】
一方、ユーザが映像のビットレート変更を希望する場合（ステップＡ１７の場合）、無線ＬＡＮ監視部２５は、変更後のビットレート（すなわち、ステップＡ１４で求めたビットレート）を、通知する。具体的には、無線ＬＡＮ監視部２５は、情報処理装置２０内部のユニット（中央処理部２１、無線ＬＡＮ処理部２２、映像伸張部２３）へ通知する。中央処理部２１は、変更後のビットレートを、無線ＬＡＮ処理部２２を介して、映像配信装置１０側に通知する（ステップＡ１８）。以降のステップＡ１９〜ステップＡ２５は、上述したステップＡ３〜ステップＡ９の動作に同じである。
【００３９】
以上のように、情報処理装置２０は、無線ＬＡＮの品質が情報の再生が途切れる可能性がある品質である場合、無線ＬＡＮの品質をユーザが自主的に改善するか、情報の再生を途切れることなく実行可能なビットレートにて行うかをユーザに問うメッセージを表示する。そして、情報処理装置２０は、ユーザの回答に即した処理を実行する。従って、どうしても高いビットレート（伝送速度）で映像を視聴したいとのユーザにも対応することが可能となるので、自動的にビットレートを低下させる構成に比べ、ユーザの使い勝手を向上させることが可能となる。
【００４０】
さらに、以上説明した実施形態の場合、上記メッセージには、情報の再生を途切れることなく実行可能なビットレートが含まれる。従って、ユーザに対してより多くの情報が報知されるので、ユーザはより自分の好みに近い対応をとることが可能となる。なお、上記メッセージへの該ビットレート表示は必ずしも必須ではない。
【００４１】
なお、以上説明した第１の実施形態では、伝送路の一例として無線ＬＡＮを挙げたが、これに限定されない。
【００４２】
また、伝送路の品質は、“接続速度”に限定されない。伝送路の品質は、例えば、“スループット（単位時間当たりのデータ転送量）”であってもよい。具体的には、図２に示すフローチャートにおいて、“接続速度”を“スループット”に置き換えればよい。さらに、図３および図４に示す各テーブル情報も、“スループット”に対応したものをそれぞれ設ければよい。
【００４３】
また、品質の測定に関し、複数サンプリングデータの平均は必ずしも必須でなく、あるサンプリングデータそのものを品質測定値としてもよい。
【００４４】
［第２の実施形態］
図６は、本発明の第２の実施形態に係る情報再生端末の構成例を示すブロック図である。この情報再生端末は、伝送路を介して情報配信装置から配信される情報を再生する。該情報再生端末は、判断部１００と、制御部１０２と、を備える。
【００４５】
判断部１００は、情報配信装置から伝送路を介して所定の第１の伝送速度で配信される情報を受信するのに必要な伝送品質の存否を前記伝送路につき判断した結果を品質情報として出力する。
【００４６】
制御部１０２は、以下で説明する、報知情報および照会情報を出力する。報知情報は、判断部１００から入力された品質情報が必要な伝送品質の不充足を示す場合、伝送品質の改善が必要である旨を報知する情報である。照会情報は、第１の伝送速度から伝送に支障のないと判断される第２の伝送速度への切り替えの要否を照会する情報である。そして、制御部１０２は、照会情報に対して入力された、切り替えるべき旨の指示情報を、情報配信装置に対して出力する。
【００４７】
以上説明した第２の実施形態によれば、どうしても高いビットレート（伝送速度）で映像を視聴したいとのユーザにも対応することが可能となるので、自動的にビットレートを低下させる構成に比べ、ユーザの使い勝手を向上させることが可能となる。
【００４８】
なお、以上説明した第１および第２の実施形態は、所定のハードウェア、例えば、回路として具現化することもできる。
【００４９】
また、以上説明した第１および第２の実施形態および実施例は、制御プログラムに基づいて図示しないコンピュータ回路（例えば、ＣＰＵ）によって制御され、動作するようにすることができる。その場合、これらの制御プログラムは、例えば、情報処理装置（情報再生端末）の記憶媒体、あるいは、外部の記憶媒体に記憶され、上記コンピュータ回路によって読み出され実行される。内部の記憶媒体としては、例えば、ＲＯＭ（Ｒｅａｄ  Ｏｎｌｙ  Ｍｅｍｏｒｙ）やハードディスク等を挙げることができる。また、外部の記憶媒体としては、例えば、リムーバブルメディアやリムーバブルディスク等を挙げることができる。
【符号の説明】
【００５０】
１０    映像配信装置
２０    情報処理装置
２１    中央処理部
２２    無線ＬＡＮ処理部
２３    映像伸張部
２４    表示制御部
２５    無線ＬＡＮ監視部
１００    判断部
１０２    制御部
【図１】
0005792516.tif 000002
【図２】
0005792516.tif 000003
【図３】
0005792516.tif 000004
【図４】
0005792516.tif 000005
【図５】
0005792516.tif 000006
【図６】
0005792516.tif 000007